(57)【要約】  【課題】ユニークな内線番号を取得することができる内線番号自動割当システムを提供すること。  【解決手段】  本発明の内線番号自動割当システムは、ＳＩＰサーバ（１）と、１番目からＮ番目（Ｎは１以上の整数）までのＮ個のコンピュータ（６−１〜６−Ｎ）とを具備している。Ｎ個のコンピュータ（６−１〜６−Ｎ）は、ＩＰ電話が使用可能であり、各々異なる固有ＩＤを保持し、固有ＩＤを含む割当要求をＳＩＰサーバ（１）に送信する。ＳＩＰサーバ（１）は、Ｎ個の割当要求が１番目からＮ番目までこの順で送信されたときに、Ｎ個の割当要求に含まれる固有ＩＤのそれぞれに対して、各々異なるＮ個の内線番号を１番目からＮ番目までこの順で割り当てる。ＳＩＰサーバ（１）は、Ｎ個の固有ＩＤとＮ個の内線番号とを割当用データベースに登録し、割当用データベースを参照して、それぞれ、Ｎ個の内線番号を含む内線番号応答をＮ個のコンピュータに通知する。  【選択図】図１
2006180415.tif 000002
【特許請求の範囲】
【請求項１】
ネットワークに接続され、制御装置と記憶装置とを備えたＳＩＰ（Ｓｅｓｓｉｏｎ  Ｉｎｉｔｉａｔｉｏｎ  Ｐｒｏｔｏｃｏｌ）サーバと、
前記ネットワークに接続され、ＩＰ（Ｉｎｔｅｒｎｅｔ  Ｐｒｏｔｏｃｏｌ）電話が使用可能であり、各々異なる固有ＩＤが登録された記憶部と、前記固有ＩＤを含む割当要求を前記ＳＩＰサーバに送信する制御部とを備えた、１番目からＮ番目（Ｎは１以上の整数）までのＮ個のコンピュータとを具備し、
前記記憶装置は、割当用データベースを具備し、
前記制御装置は、
Ｎ個の前記割当要求が１番目からＮ番目までこの順で送信されたときに、前記Ｎ個の割当要求に含まれる前記固有ＩＤのそれぞれに対して、各々異なるＮ個の内線番号を１番目からＮ番目までこの順で割り当てる内線番号割当部と、
前記Ｎ個の固有ＩＤと前記Ｎ個の内線番号とを前記割当用データベースに登録する割当登録部と、
前記割当用データベースを参照して、それぞれ、前記Ｎ個の内線番号を含む内線番号応答を前記Ｎ個のコンピュータに通知する内線番号通知部と
を具備する内線番号自動割当システム。
【請求項２】
請求項１に記載の内線番号自動割当システムにおいて、
前記内線番号通知部は、
第Ｊ固有ＩＤ（Ｊは１≦Ｊ≦Ｎを満たす整数）を含む内線番号要求が第Ｊコンピュータの前記制御部から送信されたときに、前記割当用データベースを参照して、前記Ｎ個の内線番号の中から、前記第Ｊ固有ＩＤに対応する第Ｊ内線番号を検索する割当検索部と、
前記割当用データベースを参照して、前記第Ｊ内線番号を含む前記内線番号応答を前記第Ｊコンピュータに通知する割当通知部と
を具備する内線番号自動割当システム。
【請求項３】
請求項２に記載の内線番号自動割当システムにおいて、
前記記憶装置は、ＩＰ電話用データベースを更に具備し、
前記制御装置は、
前記第Ｊ内線番号を含む番号登録要求が前記第Ｊコンピュータの前記制御部から送信されたときに、前記割当用データベースに登録された前記第Ｊ固有ＩＤと前記第Ｊ内線番号とを前記ＩＰ電話用データベースに登録する管理登録部と、
前記第Ｊ内線番号を含む内線呼出要求が発生したときに、前記ＩＰ電話用データベースを参照して、前記第Ｊ内線番号に対応する前記第Ｊ固有ＩＤを検索する呼出検索部と、
前記内線呼出要求を前記検索された第Ｊ固有ＩＤに従って前記第Ｊコンピュータに通知する通信制御部と
を更に具備する内線番号自動割当システム。
【請求項４】
請求項３に記載の内線番号自動割当システムにおいて、
前記内線番号要求と前記番号登録要求は、ＳＩＰで規定されるレジスタ（Ｒｅｇｉｓｔｅｒ）が用いられる
内線番号自動割当システム。
【請求項５】
請求項３又は４に記載の内線番号自動割当システムにおいて、
前記第Ｊコンピュータを利用するユーザのＩＤとパスワードとを含むユーザ登録要求が前記第Ｊコンピュータの前記制御部から送信されたときに、前記管理登録部は、前記第Ｊ固有ＩＤに対応付けて前記ユーザ登録要求に含まれる前記ＩＤと前記パスワードとを前記ＩＰ電話用データベースに登録し、
前記制御装置は、
使用認証子を含む使用要求が前記第Ｊコンピュータの前記制御部から送信されたときに、前記ＩＰ電話用データベースを参照して、前記使用認証子と、前記ＩＤと前記パスワードと前記第Ｊ固有ＩＤとを含む認証子とを照合して照合結果を生成する認証子照合部と、
前記照合結果が前記使用認証子と前記認証子との一致を表している場合、前記ＩＰ電話用データベースを参照して、ユーザに対して前記第Ｊコンピュータの使用を許可するための使用許可応答を前記第Ｊコンピュータに通知する使用可否通知部と
を更に具備する内線番号自動割当システム。
【請求項６】
請求項１〜５のいずれかに記載の内線番号自動割当システムにおいて、
前記Ｎ個の固有ＩＤは、それぞれ、Ｎ個のＭＡＣアドレスにより表される
内線番号自動割当システム。
【請求項７】
請求項１〜５のいずれかに記載の内線番号自動割当システムにおいて、
前記Ｎ個の固有ＩＤは、それぞれ、前記Ｎ個のコンピュータの名称を表すマシン名により表される
内線番号自動割当システム。
【請求項８】
請求項１〜５のいずれかに記載の内線番号自動割当システムにおいて、
前記Ｎ個の固有ＩＤは、それぞれ、Ｎ個のＭＡＣアドレスと、前記Ｎ個のコンピュータの名称を表すマシン名により表される
内線番号自動割当システム。
【請求項９】
ＩＰ（Ｉｎｔｅｒｎｅｔ  Ｐｒｏｔｏｃｏｌ）電話が使用可能であり、各々異なる固有ＩＤが登録された記憶部と、前記固有ＩＤを含む割当要求を送信する制御部とを備えた、１番目からＮ番目（Ｎは１以上の整数）までのＮ個のコンピュータとネットワークを介して接続されたＳＩＰ（Ｓｅｓｓｉｏｎ  Ｉｎｉｔｉａｔｉｏｎ  Ｐｒｏｔｏｃｏｌ）サーバであって、
制御装置と、
記憶装置とを具備し、
前記記憶装置は、割当用データベースを具備し、
前記制御装置は、
Ｎ個の前記割当要求が１番目からＮ番目までこの順で送信されたときに、前記Ｎ個の割当要求に含まれる前記固有ＩＤのそれぞれに対して、各々異なるＮ個の内線番号を１番目からＮ番目までこの順で割り当てる内線番号割当部と、
前記Ｎ個の固有ＩＤと前記Ｎ個の内線番号とを前記割当用データベースに登録する割当登録部と、
前記割当用データベースを参照して、それぞれ、前記Ｎ個の内線番号を含む内線番号応答を前記Ｎ個のコンピュータに通知する内線番号通知部と
を具備するＳＩＰサーバ。
【請求項１０】
請求項９に記載のＳＩＰサーバにおいて、
前記内線番号通知部は、
第Ｊ固有ＩＤ（Ｊは１≦Ｊ≦Ｎを満たす整数）を含む内線番号要求が第Ｊコンピュータの前記制御部から送信されたときに、前記割当用データベースを参照して、前記Ｎ個の内線番号の中から、前記第Ｊ固有ＩＤに対応する第Ｊ内線番号を検索する割当検索部と、
前記割当用データベースを参照して、前記第Ｊ内線番号を含む前記内線番号応答を前記第Ｊコンピュータに通知する割当通知部と
を具備するＳＩＰサーバ。
【請求項１１】
請求項１０に記載のＳＩＰサーバにおいて、
前記記憶装置は、ＩＰ電話用データベースを更に具備し、
前記制御装置は、
前記第Ｊ内線番号を含む番号登録要求が前記第Ｊコンピュータの前記制御部から送信されたときに、前記割当用データベースに登録された前記第Ｊ固有ＩＤと前記第Ｊ内線番号とを前記ＩＰ電話用データベースに登録する管理登録部と、
前記第Ｊ内線番号を含む内線呼出要求が発生したときに、前記ＩＰ電話用データベースを参照して、前記第Ｊ内線番号に対応する前記第Ｊ固有ＩＤを検索する呼出検索部と、
前記内線呼出要求を前記検索された第Ｊ固有ＩＤに従って前記第Ｊコンピュータに通知する通信制御部と
を更に具備するＳＩＰサーバ。
【請求項１２】
請求項１１に記載のＳＩＰサーバにおいて、
前記内線番号要求と前記番号登録要求は、ＳＩＰで規定されるレジスタ（Ｒｅｇｉｓｔｅｒ）が用いられる
ＳＩＰサーバ。
【請求項１３】
請求項１１又は１２に記載のＳＩＰサーバにおいて、
前記第Ｊコンピュータを利用するユーザのＩＤとパスワードとを含むユーザ登録要求が前記第Ｊコンピュータの前記制御部から送信されたときに、前記管理登録部は、前記第Ｊ固有ＩＤに対応付けて前記ユーザ登録要求に含まれる前記ＩＤと前記パスワードとを前記ＩＰ電話用データベースに登録し、
前記制御装置は、
使用認証子を含む使用要求が前記第Ｊコンピュータの前記制御部から送信されたときに、前記ＩＰ電話用データベースを参照して、前記使用認証子と、前記ＩＤと前記パスワードと前記第Ｊ固有ＩＤとを含む認証子とを照合して照合結果を生成する認証子照合部と、
前記照合結果が前記使用認証子と前記認証子との一致を表している場合、前記ＩＰ電話用データベースを参照して、ユーザに対して前記第Ｊコンピュータの使用を許可するための使用許可応答を前記第Ｊコンピュータに通知する使用可否通知部と
を更に具備するＳＩＰサーバ。
【請求項１４】
請求項９〜１３のいずれかに記載のＳＩＰサーバにおいて、
前記Ｎ個の固有ＩＤは、それぞれ、Ｎ個のＭＡＣアドレスにより表される
ＳＩＰサーバ。
【請求項１５】
請求項９〜１３のいずれかに記載のＳＩＰサーバにおいて、
前記Ｎ個の固有ＩＤは、それぞれ、前記Ｎ個のコンピュータの名称を表すマシン名により表される
ＳＩＰサーバ。
【請求項１６】
請求項９〜１３のいずれかに記載のＳＩＰサーバにおいて、
前記Ｎ個の固有ＩＤは、それぞれ、Ｎ個のＭＡＣアドレスと、前記Ｎ個のコンピュータの名称を表すマシン名により表される
ＳＩＰサーバ。
【請求項１７】
請求項９に記載のＳＩＰサーバに接続されたＮ個（Ｎは１以上の整数）のコンピュータのうち、第Ｊ番目（Ｊは１≦Ｊ≦Ｎを満たす整数）のコンピュータであって、
制御部と、
第Ｊ固有ＩＤが登録された記憶部と、
表示部とを具備し、
前記制御部は、
割当要求イベントが発生したときに、前記記憶部に登録された前記第Ｊ固有ＩＤを含む前記割当要求を送信する割当要求部と、
前記ＳＩＰサーバからの前記内線番号応答に応じて、前記内線番号応答に含まれる第Ｊ内線番号を前記表示部に表示する表示制御部と
を具備するコンピュータ。
【請求項１８】
請求項１０に記載のＳＩＰサーバに接続されたＮ個（Ｎは１以上の整数）のコンピュータのうち、第Ｊ番目（Ｊは１≦Ｊ≦Ｎを満たす整数）のコンピュータであって、
制御部と、
第Ｊ固有ＩＤが登録された記憶部と、
表示部とを具備し、
前記制御部は、
割当要求イベントが発生したときに、前記記憶部に登録された前記第Ｊ固有ＩＤを含む前記割当要求を送信する割当要求部と、
内線番号登録イベントが発生したときに、前記第Ｊ固有ＩＤを含む前記内線番号要求を送信する内線番号要求部と、
前記ＳＩＰサーバからの前記内線番号応答に応じて、前記内線番号応答に含まれる第Ｊ内線番号を前記表示部に表示する表示制御部と
を具備するコンピュータ。
【請求項１９】
請求項１１に記載のＳＩＰサーバに接続されたＮ個（Ｎは１以上の整数）のコンピュータのうち、第Ｊ番目（Ｊは１≦Ｊ≦Ｎを満たす整数）のコンピュータであって、
制御部と、
第Ｊ固有ＩＤが登録された記憶部と、
表示部とを具備し、
前記制御部は、
割当要求イベントが発生したときに、前記記憶部に登録された前記第Ｊ固有ＩＤを含む前記割当要求を送信する割当要求部と、
内線番号登録イベントが発生したときに、前記第Ｊ固有ＩＤを含む前記内線番号要求を送信する内線番号要求部と、
前記ＳＩＰサーバからの前記内線番号応答に応じて、前記内線番号応答に含まれる第Ｊ内線番号を前記表示部に表示する表示制御部と、
前記表示部に前記第Ｊ内線番号が表示されたときに、前記第Ｊ内線番号を含む前記番号登録要求を送信する登録要求部と
を具備するコンピュータ。
【請求項２０】
請求項１９に記載のコンピュータにおいて、
前記内線番号要求と前記番号登録要求は、ＳＩＰで規定されるレジスタ（Ｒｅｇｉｓｔｅｒ）が用いられる
コンピュータ。
【請求項２１】
請求項１３に記載のＳＩＰサーバに接続されたＮ個（Ｎは１以上の整数）のコンピュータのうち、第Ｊ番目（Ｊは１≦Ｊ≦Ｎを満たす整数）のコンピュータであって、
制御部と、
第Ｊ固有ＩＤが登録された記憶部と、
表示部とを具備し、
前記制御部は、
割当要求イベントが発生したときに、前記記憶部に登録された前記第Ｊ固有ＩＤを含む前記割当要求を送信する割当要求部と、
内線番号登録イベントが発生したときに、前記第Ｊ固有ＩＤを含む前記内線番号要求を送信する内線番号要求部と、
前記ＳＩＰサーバからの前記内線番号応答に応じて、前記内線番号応答に含まれる第Ｊ内線番号を前記表示部に表示する表示制御部と、
前記表示部に前記第Ｊ内線番号が表示されたときに、前記第Ｊ内線番号を含む前記番号登録要求を送信し、ユーザ登録要求イベントが発生したときに、前記ＩＤと前記パスワードとを含む前記ユーザ登録要求を送信する登録要求部と、
使用要求イベントが発生したときに、使用認証子を含む使用要求を送信し、前記使用許可応答を受け取ったときに、前記コンピュータの使用を許可する使用要求部と
を具備するコンピュータ。
【請求項２２】
請求項１７〜２１のいずれかに記載のコンピュータにおいて、
前記Ｎ個の固有ＩＤは、それぞれ、Ｎ個のＭＡＣアドレスにより表される
コンピュータ。
【請求項２３】
請求項１７〜２１のいずれかに記載のコンピュータにおいて、
前記Ｎ個の固有ＩＤは、それぞれ、前記Ｎ個のコンピュータの名称を表すマシン名により表される
コンピュータ。
【請求項２４】
請求項１７〜２１のいずれかに記載のコンピュータにおいて、
前記Ｎ個の固有ＩＤは、それぞれ、Ｎ個のＭＡＣアドレスと、前記Ｎ個のコンピュータの名称を表すマシン名により表される
コンピュータ。
【請求項２５】
ＩＰ（Ｉｎｔｅｒｎｅｔ  Ｐｒｏｔｏｃｏｌ）電話が使用可能であり、各々異なる固有ＩＤを含む割当要求を送信する１番目からＮ番目（Ｎは１以上の整数）までのＮ個のコンピュータとネットワークを介して接続されたＳＩＰ（Ｓｅｓｓｉｏｎ  Ｉｎｉｔｉａｔｉｏｎ  Ｐｒｏｔｏｃｏｌ）サーバに備えられたコンピュータプログラムであって、
Ｎ個の前記割当要求が１番目からＮ番目までこの順で送信されたときに、前記Ｎ個の割当要求に含まれる前記固有ＩＤのそれぞれに対して、各々異なるＮ個の内線番号を１番目からＮ番目までこの順で割り当てる内線番号割当ステップと、
前記Ｎ個の固有ＩＤと前記Ｎ個の内線番号とを割当用データベースに登録する割当登録ステップと、
前記割当用データベースを参照して、それぞれ、前記Ｎ個の内線番号を含む内線番号応答を前記Ｎ個のコンピュータに通知する内線番号通知ステップと
の各ステップを前記ＳＩＰサーバに実行させるコンピュータプログラム。
【請求項２６】
請求項９に記載のＳＩＰサーバに接続されたＮ個（Ｎは１以上の整数）のコンピュータのうち、第Ｊ番目（Ｊは１≦Ｊ≦Ｎを満たす整数）のコンピュータに備えられたコンピュータプログラムであって、
割当要求イベントが発生したときに、前記割当要求を送信する割当要求ステップと、
前記ＳＩＰサーバからの前記内線番号応答に応じて、前記内線番号応答に含まれる第Ｊ内線番号を表示部に表示する表示制御ステップと
の各ステップを前記コンピュータに実行させるコンピュータプログラム。
【発明の詳細な説明】
【技術分野】
【０００１】
本発明は、ＩＰ（Ｉｎｔｅｒｎｅｔ  Ｐｒｏｔｏｃｏｌ）電話を行なう内線番号自動割当システムに関する。
【背景技術】
【０００２】
ＩＰ電話による内線電話は、ＳＩＰ（Ｓｅｓｓｉｏｎ  Ｉｎｉｔｉａｔｉｏｎ  Ｐｒｏｔｏｃｏｌ）サーバが設けられた通信システムにより実現できる。この通信システムは、ＳＩＰサーバと、ＩＰ電話が使用可能なｎ個（ｎは１以上の整数）のコンピュータとを具備している。サーバとｎ個のコンピュータは、ネットワークに接続される。
【０００３】
例えば、第１ユーザは、第１コンピュータの内線番号を決定し、その内線番号を第１コンピュータによりＳＩＰサーバに送信する。このとき、ＳＩＰサーバは、第１コンピュータの内線番号をＳＩＰサーバのデータベースに登録する。第２ユーザは、第２コンピュータの内線番号を決定し、その内線番号を第２コンピュータによりＳＩＰサーバに送信する。このとき、ＳＩＰサーバは、第２コンピュータの内線番号をデータベースに登録する。第３〜第ｎコンピュータに対しても同様に内線番号がデータベースに登録される。
【０００４】
第１コンピュータの内線番号を含む内線呼出要求が第２コンピュータから発生した場合、ＳＩＰサーバは、第２コンピュータからネットワークを介して、その内線呼出要求を受け取る。このとき、ＳＩＰサーバは、そのデータベースを参照して、第２コンピュータと第１コンピュータとが通信可能であることを確認し、内線呼出要求をコンピュータ６−１に通知する。このように、ｎ個のコンピュータの各々は、内線番号によって内線電話を行なうことができる。
【０００５】
しかし、ユーザは、ｎ個のコンピュータの各々に対して内線番号を自ら決定し、ＳＩＰサーバのデータベースに登録しなければならない。ｎ個のコンピュータの各々に対して内線番号を自ら決定することは非常に手間がかかる作業である。
【０００６】
また、第１コンピュータに対して第１ユーザが決定した内線番号と、第２コンピュータに対して第２ユーザが決定した内線番号とが、意図的でないにも関わらず、同じ場合がある。この場合、第１コンピュータの内線番号を含む内線呼出要求が第３コンピュータから発生したとき、ＳＩＰサーバは、そのデータベースを参照して、内線呼出要求をコンピュータ６−１に通知する他に、コンピュータ２にも通知してしまう。このように、ユーザは、第１コンピュータの内線番号と第２コンピュータの内線番号とを意図的に同じにしていない場合、第１コンピュータの内線番号、又は、第２コンピュータの内線番号を替えなければならないという問題も生じる。
【０００７】
ここで、電話に関連する従来の技術を紹介する。
【０００８】
特開２００４−２２２１４７号公報には、電話機のみを使用してＳＩＰサーバを選択するＩＰ電話の通信制御装置が記載されている。ＩＰ電話の通信制御装置は、通信ネットワークと通常の電話機との間に接続されるとともに、通信ネットワーク側の登録されたＳＩＰサーバに電話機を接続するものである。この通信制御装置は、複数のＳＩＰサーバに関する情報を予め記憶しておく機能と、記憶された前記複数のＳＩＰサーバの中からいずれかをユーザが選択するコマンドを電話機から入力する機能と、ユーザによって選択されたＳＩＰサーバをコマンドに基づき登録する機能とを備えている。
【０００９】
特開２００４−１９３８０２号公報には、複数の電話番号のうちの専用番号が割当てられる子機から発信する場合に、発信番号として、親機に割当てられる共有番号か、専用番号かを条件に応じて選択可能する電話通信装置が記載されている。電話通信装置は、電話通信網に接続され、音声、映像、データのうちの少なくともいずれか、または組合せについての通信が可能な第１端末と、１または複数の無線により第１端末と接続される第２端末とを含み、第１端末には共有番号が割当てられ、第２端末には共有番号とは異なる個別の専用番号が割当てられ、発信時には、発信元番号を通知するものである。この電話通信装置は、選択手段と、通知手段とを含んでいる。選択手段は、第２端末からの発信の場合に、該第２端末の専用番号または共有番号のいずれをアナログ回線もしくは専用回線に通知するかを、予め設定される発信毎の条件に従って選択する。通知手段は、第１端末に設けられ、第２端末から発信する際に、専用番号または共有番号のいずれかを選択手段に従って選択し、発信元番号としてアナログ回線もしくは専用回線に通知する。
【００１０】
特開２００４−１３５００６号公報には、インターネット網を利用して通話を行うインターネット電話を利用して、着信側の選択により親機から子機への通話自動転送を行うことを可能とするインターネット電話システムが記載されている。インターネット電話システムは、親機電話端末装置と、子機電話端末装置とを備えている。親機電話端末装置は、自己の子機電話端末装置と通信を行うための第１の通信手段と、インターネットを介して他の親機電話端末装置と通信を行うための第２の通信手段と、自己の子機電話端末装置を識別するための識別情報を、他の親機電話端末装置に送信する送信手段とを備えている。子機電話端末装置は、自己の親機電話端末装置と通信を行うための通信手段と、親機電話端末装置に対し、通信相手である他の親機電話端末装置に子機電話端末装置を識別するための識別情報を送信することを要求する要求手段とを備えている。
【００１１】
【特許文献１】特開２００４−２２２１４７号公報
【特許文献２】特開２００４−１９３８０２号公報
【特許文献３】特開２００４−１３５００６号公報
【発明の開示】
【発明が解決しようとする課題】
【００１２】
本発明の課題は、ユニークな内線番号を取得することができる内線番号自動割当システムを提供することにある。
【課題を解決するための手段】
【００１３】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１４】
本発明の内線番号自動割当システムは、ＳＩＰ（Ｓｅｓｓｉｏｎ  Ｉｎｉｔｉａｔｉｏｎ  Ｐｒｏｔｏｃｏｌ）サーバ（１）と、１番目からＮ番目（Ｎは１以上の整数）までのＮ個のコンピュータ（６−１〜６−Ｎ）とを具備している。前記ＳＩＰサーバ（１）は、ネットワーク（５）に接続され、制御装置（１０）と記憶装置（１２）とを備えている。
前記Ｎ個のコンピュータ（６−１〜６−Ｎ）は、前記ネットワーク（５）に接続され、ＩＰ（Ｉｎｔｅｒｎｅｔ  Ｐｒｏｔｏｃｏｌ）電話が使用可能であり、各々異なる固有ＩＤ（８１−１〜８１−Ｎ）が登録された記憶部（６２）と、前記固有ＩＤ（８１−１〜８１−Ｎ）を含む割当要求を前記ＳＩＰサーバ（１）に送信する制御部（６０）とを備えている。
前記記憶装置（１２）は、割当用データベース（１４）を具備している。
前記制御装置（１０）は、内線番号割当部（２１）と、割当登録部（２２）と、内線番号通知部（３０）とを具備している。
前記内線番号割当部（２１）は、Ｎ個の前記割当要求が１番目からＮ番目までこの順で送信されたときに、前記Ｎ個の割当要求に含まれる前記固有ＩＤ（８１−１〜８１−Ｎ）のそれぞれに対して、各々異なるＮ個の内線番号（８５−１〜８５−Ｎ）を１番目からＮ番目までこの順で割り当てる。
前記割当登録部（２２）は、前記Ｎ個の固有ＩＤ（８１−１〜８１−Ｎ）と前記Ｎ個の内線番号（８５−１〜８５−Ｎ）とを前記割当用データベース（１４）に登録する。
前記内線番号通知部（３０）は、前記割当用データベース（１４）を参照して、それぞれ、前記Ｎ個の内線番号（８５−１〜８５−Ｎ）を含む内線番号応答を前記Ｎ個のコンピュータ（６−１〜６−Ｎ）に通知する。
【００１５】
本発明の内線番号自動割当システムによれば、Ｎ個のコンピュータ（６−１〜６−Ｎ）は、それぞれ、Ｎ個の固有ＩＤ（８１−１〜８１−Ｎ）を含む割当要求を送信したときに、ＳＩＰサーバ（１）は、割当要求を受け取った順にＮ個の内線番号（８５−１〜８５−Ｎ）を自動的に割り当てる。そして、ＳＩＰサーバ（１）は、Ｎ個の固有ＩＤ（８１−１〜８１−Ｎ）とＮ個の内線番号（８５−１〜８５−Ｎ）とを割当用データベース（１４）に登録し、Ｎ個の内線番号（８５−１〜８５−Ｎ）をそれぞれＮ個のコンピュータ（６−１〜６−Ｎ）に通知する。しかも、ＳＩＰサーバ（１）は、Ｎ個の割当要求に含まれる固有ＩＤ（８１−１〜８１−Ｎ）のそれぞれに対して、Ｎ個の内線番号（８５−１〜８５−Ｎ）を割り当てることにより、ユニークな内線番号を割り当てることができる。Ｎ個のコンピュータ（６−１〜６−Ｎ）のそれぞれが保持する固有ＩＤ（８１−１〜８１−Ｎ）は、不変であるため、Ｎ個のコンピュータ（６−１〜６−Ｎ）のそれぞれに割り当てられたＮ個の内線番号（８５−１〜８５−Ｎ）は、変えられることはない。このように、本発明の内線番号自動割当システムによれば、ユーザは、Ｎ個のコンピュータ（６−１〜６−Ｎ）の内線番号を自ら決定することなく、Ｎ個のコンピュータ（６−１〜６−Ｎ）のそれぞれに対してユニークな内線番号（８５−１〜８５−Ｎ）を取得することができる。
【００１６】
本発明の内線番号自動割当システムにおいて、前記内線番号通知部（３０）は、割当検索部（３１）と、割当通知部（３２）とを具備している。
前記割当検索部（３１）は、第Ｊ固有ＩＤ（Ｊは１≦Ｊ≦Ｎを満たす整数）（８１−Ｊ）を含む内線番号要求が第Ｊコンピュータ（６−Ｊ）の前記制御部（６０）から送信されたときに、前記割当用データベース（１４）を参照して、前記Ｎ個の内線番号（８５−１〜８５−Ｎ）の中から、前記第Ｊ固有ＩＤ（８１−Ｊ）に対応する第Ｊ内線番号（８５−Ｊ）を検索する。
前記割当通知部（３２）は、前記割当用データベース（１４）を参照して、前記第Ｊ内線番号（８５−Ｊ）を含む前記内線番号応答を前記第Ｊコンピュータ（６−Ｊ）に通知する。
【００１７】
本発明の内線番号自動割当システムによれば、上述のように、ＳＩＰサーバ（１）は、Ｎ個の内線番号（８５−１〜８５−Ｎ）を割り当てた後に、Ｎ個の固有ＩＤ（８１−１〜８１−Ｎ）とＮ個の内線番号（８５−１〜８５−Ｎ）とを割当用データベース（１４）に登録している。このため、第Ｊコンピュータ（６−Ｊ）のユーザが自身の内線番号を把握していない場合、ユーザは、第Ｊコンピュータ（６−Ｊ）を用いて第Ｊ固有ＩＤ（８１−Ｊ）を含む内線番号要求を行なうことにより、ＳＩＰサーバ（１）は、その内線番号要求に応じて、第Ｊ内線番号（８５−Ｊ）を含む内線番号応答を第Ｊコンピュータ（６−Ｊ）に通知することができる。このような場合でも、ユーザは、第Ｊコンピュータ（６−Ｊ）のユニークな内線番号（８５−Ｊ）を取得することができる。
【００１８】
本発明の内線番号自動割当システムにおいて、前記記憶装置（１２）は、ＩＰ電話用データベース（１５）を更に具備している。
前記制御装置（１０）は、管理登録部（４１）と、呼出検索部（４２）と、通信制御部（４３）とを更に具備している。
前記管理登録部（４１）は、前記第Ｊ内線番号（８５−Ｊ）を含む番号登録要求が前記第Ｊコンピュータ（６−Ｊ）の前記制御部（６０）から送信されたときに、前記割当用データベース（１４）に登録された前記第Ｊ固有ＩＤ（８１−Ｊ）と前記第Ｊ内線番号（８５−Ｊ）とを前記ＩＰ電話用データベース（１５）に登録する。
前記呼出検索部（４２）は、前記第Ｊ内線番号（８５−Ｊ）を含む内線呼出要求が発生したときに、前記ＩＰ電話用データベース（１５）を参照して、前記第Ｊ内線番号（８５−Ｊ）に対応する前記第Ｊ固有ＩＤ（８１−Ｊ）を検索する。
前記通信制御部（４３）は、前記内線呼出要求を前記検索された第Ｊ固有ＩＤ（８１−Ｊ）に従って前記第Ｊコンピュータ（６−Ｊ）に通知する。
【００１９】
本発明の内線番号自動割当システムによれば、上述のように、ＳＩＰサーバ（１）は、Ｎ個の内線番号（８５−１〜８５−Ｎ）を割り当てた後に、Ｎ個の固有ＩＤ（８１−１〜８１−Ｎ）とＮ個の内線番号（８５−１〜８５−Ｎ）とを割当用データベース（１４）に登録している。しかし、この時点では、ユーザは、第Ｊコンピュータ（６−Ｊ）を用いてＩＰ電話を行なうかどうかは定かではない。このため、第Ｊコンピュータ（６−Ｊ）は、第Ｊ固有ＩＤ（８１−Ｊ）を含む番号登録要求を送信することにより、ＳＩＰサーバ（１）は、番号登録要求に含まれる第Ｊ内線番号（８５−Ｊ）と、割当用データベース（１４）に登録された第Ｊ内線番号（８５−Ｊ）とが一致することを確認し、割当用データベース（１４）に登録された第Ｊ固有ＩＤ（８１−Ｊ）と第Ｊ内線番号（８５−Ｊ）とをＩＰ電話用データベース（１５）に登録する。第Ｊ固有ＩＤ（８１−Ｊ）と第Ｊ内線番号（８５−Ｊ）とがＩＰ電話用データベース（１５）に登録されたことにより、第Ｊコンピュータ（６−Ｊ）は、ＩＰ電話を行なうことができる。これにより、ＳＩＰサーバ（１）は、第Ｊ内線番号（８５−Ｊ）を含む内線呼出要求が発生したときに、ＩＰ電話用データベース（１５）を参照して、その内線呼出要求を第Ｊコンピュータ（６−Ｊ）に通知することができる。このように、ＳＩＰサーバ（１）は、第Ｊコンピュータ（６−Ｊ）の内線番号を割り当てるために、割当要求に応じて、第Ｊ固有ＩＤ（８１−Ｊ）と第Ｊ内線番号（８５−Ｊ）とを割当用データベース（１４）に登録し、第Ｊコンピュータ（６−Ｊ）がＩＰ電話を行なうために、番号登録要求に応じて、第Ｊ固有ＩＤ（８１−Ｊ）と第Ｊ内線番号（８５−Ｊ）とをＩＰ電話用データベース（１５）に登録することが好ましい。
【００２０】
本発明の内線番号自動割当システムにおいて、前記内線番号要求と前記番号登録要求は、ＳＩＰで規定されるレジスタ（Ｒｅｇｉｓｔｅｒ）が用いられる。
【００２１】
本発明の内線番号自動割当システムにおいて、前記第Ｊコンピュータ（６−Ｊ）を利用するユーザのＩＤとパスワードとを含むユーザ登録要求が前記第Ｊコンピュータ（６−Ｊ）の前記制御部（６０）から送信される。このときに、前記管理登録部（４１）は、前記第Ｊ固有ＩＤ（８１−Ｊ）に対応付けて前記ユーザ登録要求に含まれる前記ＩＤと前記パスワードとを前記ＩＰ電話用データベース（１５）に登録する。
前記制御装置（１０）は、認証子照合部（５１）と、使用可否通知部（５２）とを更に具備している。
前記認証子照合部（５１）は、使用認証子を含む使用要求が前記第Ｊコンピュータ（６−Ｊ）の前記制御部（６０）から送信されたときに、前記ＩＰ電話用データベース（１５）を参照して、前記使用認証子と、前記ＩＤと前記パスワードと前記第Ｊ固有ＩＤ（８１−Ｊ）とを含む認証子（８０−Ｊ）とを照合して照合結果を生成する。
前記使用可否通知部（５２）は、前記照合結果が前記使用認証子と前記認証子（８０−Ｊ）との一致を表している場合、前記ＩＰ電話用データベース（１５）を参照して、ユーザに対して前記第Ｊコンピュータ（６−Ｊ）の使用を許可するための使用許可応答を前記第Ｊコンピュータ（６−Ｊ）に通知する。
【００２２】
現状では、ＩＰ電話の契約を行なうとキャリアが第Ｊコンピュータ（６−Ｊ）に対し、電話番号と共にＩＤとパスワードとを与える。このＩＤとパスワードは、第Ｊコンピュータ（６−Ｊ）を用いて通信する際に使用されるが、ＩＤやパスワードが第三者に漏れてしまうと電話番号が勝手に使用されてしまう。そこで、本発明の内線番号自動割当システムによれば、ユーザは、第Ｊコンピュータ（６−Ｊ）を用いて使用認証子を含む使用要求を行なうことにより、ＳＩＰサーバ（１）は、その使用要求に応じて、ＩＰ電話用データベース（１５）を参照して、使用認証子と認証子（８０−Ｊ）｛ＩＤ、パスワード、第Ｊ固有ＩＤ（８１−Ｊ）｝とが一致している場合のみ、第Ｊコンピュータ（６−Ｊ）の使用を許可する。このように、ＩＤやパスワードの他に第Ｊ固有ＩＤ（８１−Ｊ）を使用要求に付加することにより、第三者がＩＤやパスワードを盗んでいても、電話番号を第三者に使用されることはなく、第Ｊコンピュータ（６−Ｊ）のセキュリティを強化することができる。
【００２３】
本発明の内線番号自動割当システムにおいて、前記Ｎ個の固有ＩＤ（８１−１〜８１−Ｎ）は、それぞれ、Ｎ個のＭＡＣアドレスにより表される。
【００２４】
通常、ＭＡＣアドレスはＬＡＮカードに登録されている。第Ｊコンピュータ（６−Ｊ）の記憶部（６２）にＭＡＣアドレスとして第Ｊ固有ＩＤ（８１−Ｊ）が登録されている場合、ＬＡＮカードは第Ｊコンピュータ（６−Ｊ）に設けられていることになる。したがって、本発明の内線番号自動割当システムによれば、第Ｊコンピュータ（６−Ｊ）のＬＡＮカードを変更しない限り、第Ｊコンピュータ（６−Ｊ）の内線番号として第Ｊ内線番号（８５−Ｊ）を割り当てることができる。
【００２５】
本発明の内線番号自動割当システムにおいて、前記Ｎ個の固有ＩＤ（８１−１〜８１−Ｎ）は、それぞれ、前記Ｎ個のコンピュータ（６−１〜６−Ｎ）の名称を表すマシン名により表される。
【００２６】
本発明の内線番号自動割当システムによれば、第Ｊコンピュータ（６−Ｊ）の記憶部（６２）にマシン名として第Ｊ固有ＩＤ（８１−Ｊ）が登録されている限り、第Ｊコンピュータ（６−Ｊ）の内線番号として第Ｊ内線番号（８５−Ｊ）を割り当てることができる。また、２つ以上のコンピュータの記憶部（６２）に同じマシン名を意図的に登録しておけば、それらのコンピュータの内線番号として同じ内線番号（８５−Ｊ）を割り当てることもできる。
【００２７】
本発明の内線番号自動割当システムにおいて、前記Ｎ個の固有ＩＤ（８１−１〜８１−Ｎ）は、それぞれ、Ｎ個のＭＡＣアドレスと、前記Ｎ個のコンピュータ（６−１〜６−Ｎ）の名称を表すマシン名により表される。
【００２８】
本発明の内線番号自動割当システムによれば、第Ｊコンピュータ（６−Ｊ）の記憶部（６２）にＭＡＣアドレスとマシン名として第Ｊ固有ＩＤ（８１−Ｊ）が登録されている限り、第Ｊコンピュータ（６−Ｊ）の内線番号として第Ｊ内線番号（８５−Ｊ）を割り当てることができる。また、ＭＡＣアドレスが異なっていても、２つ以上のコンピュータの記憶部（６２）に同じマシン名を意図的に登録しておけば、それらのコンピュータの内線番号として同じ内線番号（８５−Ｊ）を割り当てることもできる。
【発明の効果】
【００２９】
以上の構成により、本発明の内線番号自動割当システムによれば、ユニークな内線番号を取得することができる。
【発明を実施するための最良の形態】
【００３０】
以下に添付図面を参照して、本発明の内線番号自動割当システムについて詳細に説明する。
【００３１】
図１は、本発明の内線番号自動割当システムの構成を示している。本発明の内線番号自動割当システムは、ＳＩＰ（Ｓｅｓｓｉｏｎ  Ｉｎｉｔｉａｔｉｏｎ  Ｐｒｏｔｏｃｏｌ）サーバ１と、ＩＰ（Ｉｎｔｅｒｎｅｔ  Ｐｒｏｔｏｃｏｌ）電話が使用可能なＮ個（Ｎは１以上の整数）のコンピュータ６−１〜６−Ｎとを具備している。ＳＩＰサーバ１は、外部クライアント２とルータ３とを介してインターネット４に接続される。ＳＩＰサーバ１とＮ個のコンピュータ６−１〜６−Ｎは、ネットワーク５に接続される。
【００３２】
コンピュータ６−１〜６−Ｎには、同じ電話番号が与えられている。ＳＩＰサーバ１とＮ個のコンピュータ６−１〜６−Ｎとがネットワーク５を介して配線接続されている場合、コンピュータ６−１〜６−Ｎは、その電話番号により外線電話を行なうことができる。
例えば、その電話番号を含む外線呼出要求が外部から発生した場合、外部クライアント２は、インターネット４、ルータ３を介して、その外線呼出要求を受け取る。このとき、外部クライアント２は、ＳＩＰサーバ１のデータベース（後述）を参照して、Ｎ個のコンピュータ６−１〜６−Ｎの各々が通信可能であることを確認し、ＳＩＰサーバ１を介して、外線呼出要求をコンピュータ６−１〜６−Ｎに一斉に通知する。
【００３３】
コンピュータ６−１〜６−Ｎには、各々異なる内線番号が割り当てられる。ＳＩＰサーバ１とＮ個のコンピュータ６−１〜６−Ｎとがネットワーク５を介して配線接続されている場合、コンピュータ６−１〜６−Ｎの各々は、その内線番号により、内線電話を行なうことができる。
例えば、コンピュータ６−１の内線番号を含む内線呼出要求がコンピュータ６−２から発生した場合、ＳＩＰサーバ１は、コンピュータ６−２からネットワーク５を介して、その内線呼出要求を受け取る。このとき、ＳＩＰサーバ１は、そのデータベース（後述）を参照して、コンピュータ６−２とコンピュータ６−１とが通信可能であることを確認し、内線呼出要求をコンピュータ６−１に通知する。
【００３４】
本発明の内線番号自動割当システムでは、内線電話を行なうために、コンピュータ６−１〜６−Ｎの内線番号を割り当てる。本実施例では、内線番号を割り当てることについて説明し、ＩＰ電話における公知技術についての説明を省略する。
【００３５】
図２は、ＳＩＰサーバ１の構成を示している。ＳＩＰサーバ１は、制御装置１０と、記憶装置１２とを具備している。制御装置１０は、ＣＰＵ（Ｃｅｎｔｒａｌ  Ｐｒｏｃｅｓｓｉｎｇ  Ｕｎｉｔ）１１を具備している。記憶装置１２は、ＣＰＵ１１が実行するためのコンピュータプログラム１３と、割当用データベース１４と、ＩＰ電話用データベース１５とを具備している。コンピュータプログラム１３は、ＩＰ電話の機能として、割当実行部２０と、内線番号通知部３０と、登録実行部４０と、使用可否実行部５０とを含んでいる。
【００３６】
上記の割当実行部２０は、内線番号割当部２１と、割当登録部２２とを含んでいる。図３に示されるように、割当用データベース１４には、Ｎ個の固有ＩＤ８１−１〜８１−Ｎと、Ｎ個の内線番号８５−１〜８５−Ｎとが割当実行部２０によって登録される。固有ＩＤ８１−１〜８１−Ｎは、各々異なる。その固有ＩＤ８１−１〜８１−Ｎは、それぞれ、Ｎ個のＭＡＣアドレスにより表され、コンピュータ６−１〜６−Ｎに保持されている。コンピュータ６−１〜６−Ｎは、それぞれ、１番目からＮ番目までこの順で、Ｎ個の割当要求をＳＩＰサーバ１に送信する。そのＮ個の割当要求は、それぞれ、固有ＩＤ８１−１〜８１−Ｎを含んでいる。
内線番号割当部２１は、Ｎ個の割当要求が１番目からＮ番目までこの順で送信されたときに、Ｎ個の内線番号８５−１〜８５−Ｎを１番目からＮ番目までこの順で割り当てる。Ｎ個の内線番号８５−１〜８５−Ｎは、各々異なり、Ｎ個の割当要求に含まれる固有ＩＤ８１−１〜８１−Ｎのそれぞれに対して割り当てられる。割当登録部２２は、Ｎ個の割当要求に含まれる固有ＩＤ８１−１〜８１−Ｎと、Ｎ個の内線番号８５−１〜８５−Ｎとを割当用データベース１４に登録する。
【００３７】
上記の内線番号通知部３０は、割当用データベース１４を参照して、それぞれ、Ｎ個の内線番号８５−１〜８５−Ｎを含む内線番号応答をＮ個のコンピュータ６−１〜６−Ｎに通知する。この内線番号通知部３０は、内線番号通知部３０は、割当検索部３１と、割当通知部３２とを含んでいる。
割当検索部３１は、固有ＩＤ８１−Ｊ（Ｊは１≦Ｊ≦Ｎを満たす整数）を含む内線番号要求がコンピュータ６−Ｊから送信されたときに、割当用データベース１４を参照して、Ｎ個の内線番号８５−１〜８５−Ｎの中から、固有ＩＤ８１−Ｊに対応する内線番号８５−Ｊを検索する。割当通知部３２は、割当用データベース１４を参照して、内線番号８５−Ｊを含む内線番号応答をコンピュータ６−Ｊに通知する。これにより、コンピュータ６−Ｊに内線番号８５−Ｊが設定される。
【００３８】
上記の登録実行部４０は、管理登録部４１と、呼出検索部４２と、通信制御部４３とを含んでいる。図４に示されるように、ＩＰ電話用データベース１５には、Ｎ個の固有ＩＤ８１−１〜８１−Ｎと、Ｎ個の内線番号８５−１〜８５−Ｎとが登録実行部４０によって登録される。
管理登録部４１は、内線番号８５−Ｊ（Ｊ＝１、２、…、Ｎ）を含む番号登録要求がコンピュータ６−Ｊから送信されたときに、割当用データベース１４を参照して、番号登録要求に含まれる内線番号８５−Ｊと、割当用データベース１４に登録された内線番号８５−Ｊとが一致することを確認する。管理登録部４１は、一致している場合、割当用データベース１４に登録された固有ＩＤ８１−Ｊと内線番号８５−ＪとをＩＰ電話用データベース１５に登録する。
ＩＰ電話用データベース１５に固有ＩＤ８１−Ｊと内線番号８５−Ｊとが登録されている場合、コンピュータ６−Ｊとコンピュータ６−１〜６−Ｎのうちのコンピュータ６−Ｊ以外のコンピュータとが通信可能であることを表す。このため、コンピュータ６−Ｊ以外のコンピュータは、内線番号８５−Ｊによりコンピュータ６−Ｊに内線電話を行なうことができる。呼出検索部４２は、内線番号８５−Ｊを含む内線呼出要求が発生したときに、ＩＰ電話用データベース１５を参照して、内線番号８５−Ｊに対応する固有ＩＤ８１−Ｊを検索する。通信制御部４３は、呼出検索部４２により検索された固有ＩＤ８１−Ｊに従って、内線呼出要求をコンピュータ６−Ｊに通知する。
【００３９】
図４に示されるように、ＩＰ電話用データベース１５には、Ｎ個の認証子８０−１〜８０−Ｎが登録実行部４０によって登録される。このＮ個の認証子８０−１〜８０−Ｎは、それぞれ、コンピュータ６−１〜６−Ｎを利用するユーザのＩＤとパスワードと、Ｎ個の固有ＩＤ８１−１〜８１−Ｎとを含んでいる。
コンピュータ６−Ｊを利用するユーザのＩＤとパスワードとを含むユーザ登録要求がコンピュータ６−Ｊから送信されたときに、管理登録部４１は、ユーザ登録要求に含まれるＩＤとパスワードとを固有ＩＤ８１−Ｊに対応付けてＩＰ電話用データベース１５に登録する。ＩＰ電話用データベース１５に登録されたＩＤとパスワードと固有ＩＤ８１−Ｊとは、認証子８０−Ｊとして用いられる。使用可否実行部５０は、その認証子８０−Ｊにより、ユーザに対してコンピュータ６−Ｊの使用を許可するか否かを判定することができる。
【００４０】
上記の使用可否実行部５０は、認証子照合部５１と、使用可否通知部５２とを含んでいる。
認証子照合部５１は、使用認証子を含む使用要求がコンピュータ６−Ｊから送信されたときに、ＩＰ電話用データベース１５を参照して、使用認証子と、ＩＤとパスワードと固有ＩＤ８１−Ｊとを含む認証子８０−Ｊとを照合して照合結果を生成する。使用可否通知部５２は、照合結果が使用認証子と認証子８０−Ｊとの一致を表している場合、ＩＰ電話用データベース１５を参照して、ユーザに対してコンピュータ６−Ｊの使用を許可するための使用許可応答をコンピュータ６−Ｊに通知する。
【００４１】
図５は、コンピュータ６−Ｊ（Ｊ＝１、２、…、Ｎ）の構成を示している。コンピュータ６−Ｊは、制御部６０と、記憶部６２と、表示部６６と、図示しない入力部とを具備している。入力部は、キーボード、ポインティングデバイス、リモートコントロール（リモコン）を含んでいる。制御部６０は、ＣＰＵ６１を具備している。記憶部６２は、ＣＰＵ６１が実行するためのコンピュータプログラム６３と、固有ＩＤ格納領域６４と、内線番号格納領域６５とを具備している。コンピュータプログラム６３は、割当要求部７１と、内線番号要求部７２と、内線番号登録部７３と、表示制御部７４と、登録要求部７５と、使用要求部７６と、ＩＰ電話制御部７７とを含んでいる。
【００４２】
上記の固有ＩＤ格納領域６４には、固有ＩＤ８１−Ｊが登録されている。上述のように固有ＩＤ８１−ＪがＭＡＣアドレスにより表される場合、固有ＩＤ格納領域６４としては、コンピュータ６−Ｊに取り付け可能なＬＡＮカードが例示される。
【００４３】
ユーザがコンピュータ６−Ｊをネットワーク５に配線接続したときに、割当要求イベントが発生する。または、ユーザが行なうコンピュータ６−Ｊの入力部の操作により、割当要求イベントが発生する。このとき、割当要求部７１は、割当要求イベントに応じて、固有ＩＤ格納領域６４に登録された固有ＩＤ８１−Ｊを読み出し、その固有ＩＤ８１−Ｊを含む割当要求をＳＩＰサーバ１に送信する。
【００４４】
上記の内線番号格納領域６５には、内線番号８５−Ｊが内線番号登録部７３によって登録される。
ユーザが行なうコンピュータ６−Ｊの入力部の操作により、内線番号登録イベントが発生する。このとき、内線番号要求部７２は、内線番号登録イベントに応じて、固有ＩＤ格納領域６４に登録された固有ＩＤ８１−Ｊを読み出し、その固有ＩＤ８１−Ｊを含む内線番号要求をＳＩＰサーバ１に送信する。表示制御部７４は、ＳＩＰサーバ１からの内線番号応答に応じて、内線番号応答に含まれる内線番号８５−Ｊを表示部６６に表示する。内線番号登録部７３は、ＳＩＰサーバ１からの内線番号応答に応じて、内線番号応答に含まれる内線番号８５−Ｊを内線番号格納領域６５に登録する。表示部６６に内線番号８５−Ｊが表示されたときに、登録要求部７５は、内線番号格納領域６５に登録された内線番号８５−Ｊを読み出し、その内線番号８５−Ｊを含む番号登録要求をＳＩＰサーバ１に送信する。
【００４５】
外線呼出要求、又は、内線呼出要求がＳＩＰサーバ１からコンピュータ６−Ｊに通知される。この場合、ＩＰ電話制御部７７は、外線呼出要求、又は、内線呼出要求に応じて、既存のＩＰ電話における通話を行なう。
【００４６】
ユーザが行なうコンピュータ６−Ｊの入力部の操作により、ユーザ登録要求イベントが発生する。このとき、登録要求部７５は、ユーザ登録要求イベントに応じて、ユーザのＩＤとパスワードとを含むユーザ登録要求をＳＩＰサーバ１に送信する。
【００４７】
ユーザがコンピュータ６−Ｊに電源を入れたときに、使用要求イベントが発生する。このとき、使用要求部７６は、使用要求イベントに応じて、使用認証子を含む使用要求をＳＩＰサーバ１に送信する。使用認証子がＩＤとパスワードと固有ＩＤ８１−Ｊとを含んでいて、且つ、使用認証子と認証子８０−Ｊとが一致している場合、使用許可応答がＳＩＰサーバ１からコンピュータ６−Ｊに通知される。この場合、コンピュータ６−Ｊの使用要求部７６は、使用許可応答を受け取り、コンピュータ６−Ｊの使用を許可し、ユーザは、コンピュータ６−Ｊを使用することができる。
【００４８】
次に、本発明の内線番号自動割当システムの動作について説明する。
【００４９】
図６は、本発明の内線番号自動割当システムの動作として内線番号割当処理を示すフローチャートである。
【００５０】
ユーザは、コンピュータ６−Ｊをネットワーク５に配線接続して、割当要求イベントを発生させる（ステップＳ１−ＹＥＳ）。このとき、コンピュータ６−Ｊの割当要求部７１は、固有ＩＤ格納領域６４に登録された固有ＩＤ８１−Ｊを読み出し、その固有ＩＤ８１−Ｊを含む割当要求をＳＩＰサーバ１に送信する（ステップＳ２）。
ＳＩＰサーバ１の内線番号割当部２１は、第Ｊ番目の割当要求が送信されたときに、第Ｊ番目の割当要求に含まれる固有ＩＤ８１−Ｊに対して、第Ｊ番目の内線番号として内線番号８５−Ｊを割り当てる（ステップＳ３）。ＳＩＰサーバ１の割当登録部２２は、第Ｊ番目の割当要求に含まれる固有ＩＤ８１−Ｊと、内線番号８５−Ｊとを割当用データベース１４に登録する（ステップＳ４）。
【００５１】
図７は、本発明の内線番号自動割当システムの動作として内線番号設定処理を示すフローチャートである。
【００５２】
ユーザは、コンピュータ６−Ｊの入力部を用いて、内線番号登録イベントを発生させる（ステップＳ１１−ＹＥＳ）。このとき、内線番号要求部７２は、固有ＩＤ格納領域６４に登録された固有ＩＤ８１−Ｊを読み出し、その固有ＩＤ８１−Ｊを含む内線番号要求をＳＩＰサーバ１に送信する（ステップＳ１２）。
内線番号要求は、ＳＩＰで規定されるレジスタ（Ｒｅｇｉｓｔｅｒ）が用いられる。例えば、内線番号要求は、以下のように表される。ここで、UserMameには、“qn_ＭＡＣアドレス”が記載される。“qn”は、質問ナンバーを表す。
REGISTER sip:192.168.0.1:5060;user=phone SIP/2.0
From: <sip:qn_0030131a2d12@192.168.0.1:5060;user=phone>;tag=6c09f54d
To: sip:qn_0030131a2d12@192.168.0.1:5060;user=phone>;tag=d3f0941d
【００５３】
ＳＩＰサーバ１の割当検索部３１は、固有ＩＤ８１−Ｊを含む内線番号要求をコンピュータ６−Ｊから受け取り、割当用データベース１４を参照して、Ｎ個の内線番号８５−１〜８５−Ｎの中から、固有ＩＤ８１−Ｊに対応する内線番号８５−Ｊを検索する。ＳＩＰサーバ１の割当通知部３２は、割当用データベース１４を参照して、内線番号８５−Ｊを含む内線番号応答をコンピュータ６−Ｊに通知する（ステップＳ１３）。
例えば、内線番号応答は、以下のように表される。ここで、“04”が割り当てられた内線番号である。内線番号８５−１〜８５−Ｎをそれぞれ“01”〜“N”に割り当てている場合、Ｊは４である。
SIP/2.0 200 OK
From: <sip:qn_0030131a2d12@192.168.0.1:5060;user=phone>;tag=6c09f54d
To: <sip:qn_0030131a2d12@192.168.0.1:5060;user=phone>;tag=d3f0941d
Contact: <sip:04@192.168.0.1:5060>
【００５４】
コンピュータ６−Ｊの表示制御部７４は、内線番号８５−Ｊを含む内線番号応答をＳＩＰサーバ１から受け取ったとき、内線番号応答に含まれる内線番号８５−Ｊを表示部６６に表示する。また、コンピュータ６−Ｊの内線番号登録部７３は、内線番号８５−Ｊを含む内線番号応答をＳＩＰサーバ１から受け取ったとき、内線番号応答に含まれる内線番号８５−Ｊを内線番号格納領域６５に登録する（ステップＳ１４）。
その後、コンピュータ６−Ｊの登録要求部７５は、内線番号格納領域６５に登録された内線番号８５−Ｊを読み出し、その内線番号８５−Ｊを含む番号登録要求をＳＩＰサーバ１に送信する（ステップＳ１５）。この番号登録要求は、コンピュータ６−Ｊに内線番号８５−Ｊが設定されたことを表している。
番号登録要求は、上記のレジスタ（Ｒｅｇｉｓｔｅｒ）が用いられる。例えば、番号登録要求は、以下のように表される。ここで、UserMameには、内線番号８５−Ｊ“04”が記載される。
REGISTER sip:192.168.0.1:5060;user=phone SIP/2.0
From: <sip:04@192.168.0.1:5060;user=phone>;tag=8fc5e90a
To: <sip:04@192.168.0.1:5060;user=phone>
【００５５】
ＳＩＰサーバ１の管理登録部４１は、内線番号８５−Ｊを含む番号登録要求をコンピュータ６−Ｊから受け取ったとき、番号登録要求に含まれる内線番号８５−Ｊと、割当用データベース１４に登録された内線番号８５−Ｊとが一致することを確認し、割当用データベース１４に登録された固有ＩＤ８１−Ｊと内線番号８５−ＪとをＩＰ電話用データベース１５に登録する（ステップＳ１６）。このとき、管理登録部４１は、内線番号８５−Ｊにおける登録完了通知をコンピュータ６−Ｊに通知する（ステップＳ１７）。この登録完了通知は、コンピュータ６−Ｊに対して内線番号８５−Ｊにより内線電話が可能であることを表している。
例えば、登録完了通知は、以下のように表される。
SIP/2.0 200 OK
From: <sip:04@192.168.0.1:5060;user=phone>;tag=8fc5e90a
To: <sip:04@192.168.0.1:5060;user=phone>;tag=4f27223c
【００５６】
本発明の内線番号自動割当システムによれば、Ｎ個のコンピュータ６−１〜６−Ｎは、それぞれ、Ｎ個の固有ＩＤ８１−１〜８１−Ｎを含む割当要求を送信したときに、ＳＩＰサーバ１は、割当要求を受け取った順にＮ個の内線番号８５−１〜８５−Ｎを自動的に割り当てる。そして、ＳＩＰサーバ１は、Ｎ個の固有ＩＤ８１−１〜８１−ＮとＮ個の内線番号８５−１〜８５−Ｎとを割当用データベース１４に登録し、Ｎ個の内線番号８５−１〜８５−ＮをそれぞれＮ個のコンピュータ６−１〜６−Ｎに通知する。しかも、ＳＩＰサーバ１は、Ｎ個の割当要求に含まれる固有ＩＤ８１−１〜８１−Ｎのそれぞれに対して、Ｎ個の内線番号８５−１〜８５−Ｎを割り当てることにより、ユニークな内線番号を割り当てることができる。Ｎ個のコンピュータ６−１〜６−Ｎのそれぞれが保持する固有ＩＤ８１−１〜８１−Ｎは、不変であるため、Ｎ個のコンピュータ６−１〜６−Ｎのそれぞれに割り当てられたＮ個の内線番号８５−１〜８５−Ｎは、変えられることはない。このように、本発明の内線番号自動割当システムによれば、ユーザは、Ｎ個のコンピュータ６−１〜６−Ｎの内線番号を自ら決定することなく、Ｎ個のコンピュータ６−１〜６−Ｎのそれぞれに対してユニークな内線番号８５−１〜８５−Ｎを取得することができる。
【００５７】
本発明の内線番号自動割当システムによれば、上述のように、ＳＩＰサーバ１は、Ｎ個の内線番号８５−１〜８５−Ｎを割り当てた後に、Ｎ個の固有ＩＤ８１−１〜８１−ＮとＮ個の内線番号８５−１〜８５−Ｎとを割当用データベース１４に登録している。このため、コンピュータ６−Ｊのユーザが自身の内線番号を把握していない場合、ユーザは、コンピュータ６−Ｊを用いて固有ＩＤ８１−Ｊを含む内線番号要求を行なうことにより、ＳＩＰサーバ１は、その内線番号要求に応じて、内線番号８５−Ｊを含む内線番号応答をコンピュータ６−Ｊに通知することができる。このような場合でも、ユーザは、コンピュータ６−Ｊのユニークな内線番号８５−Ｊを取得することができる。
【００５８】
本発明の内線番号自動割当システムによれば、上述のように、ＳＩＰサーバ１は、Ｎ個の内線番号８５−１〜８５−Ｎを割り当てた後に、Ｎ個の固有ＩＤ８１−１〜８１−ＮとＮ個の内線番号８５−１〜８５−Ｎとを割当用データベース１４に登録している。しかし、この時点では、ユーザは、コンピュータ６−Ｊを用いてＩＰ電話を行なうかどうかは定かではない。このため、コンピュータ６−Ｊは、固有ＩＤ８１−Ｊを含む番号登録要求を送信することにより、ＳＩＰサーバ１は、番号登録要求に含まれる内線番号８５−Ｊと、割当用データベース１４に登録された内線番号８５−Ｊとが一致することを確認し、割当用データベース１４に登録された固有ＩＤ８１−Ｊと内線番号８５−ＪとをＩＰ電話用データベース１５に登録する。固有ＩＤ８１−Ｊと内線番号８５−ＪとがＩＰ電話用データベース１５に登録されたことにより、コンピュータ６−Ｊは、ＩＰ電話を行なうことができる。
【００５９】
図８は、本発明の内線番号自動割当システムの動作として内線番号呼出処理を示すフローチャートである。
【００６０】
例えば、コンピュータ６−Ｉ（Ｉは、１≦Ｉ≦Ｎを満たし、Ｉ≠Ｊである整数）のＩＰ電話制御部７７は、内線番号８５−Ｊを含む内線呼出要求をＳＩＰサーバ１に送信する（ステップＳ２１−ＹＥＳ）。
この場合、ＳＩＰサーバ１の呼出検索部４２は、内線番号８５−Ｊを含む内線呼出要求を受け取り、ＩＰ電話用データベース１５を参照して、内線番号８５−Ｊに対応する固有ＩＤ８１−Ｊを検索する。ＳＩＰサーバ１の通信制御部４３は、呼出検索部４２により検索された固有ＩＤ８１−Ｊに従って、内線呼出要求をコンピュータ６−Ｊに通知する（ステップＳ２２）。これにより、コンピュータ６−Ｉとコンピュータ６−Ｊは、内線電話を行なうことができる。
【００６１】
本発明の内線番号自動割当システムによれば、上述のように、ＳＩＰサーバ１は、割当用データベース１４に登録された固有ＩＤ８１−Ｊと内線番号８５−ＪとをＩＰ電話用データベース１５に登録している。これにより、ＳＩＰサーバ１は、内線番号８５−Ｊを含む内線呼出要求が発生したときに、ＩＰ電話用データベース１５を参照して、その内線呼出要求をコンピュータ６−Ｊに通知することができる。このように、ＳＩＰサーバ１は、コンピュータ６−Ｊの内線番号を割り当てるために、割当要求に応じて、固有ＩＤ８１−Ｊと内線番号８５−Ｊとを割当用データベース１４に登録し、コンピュータ６−ＪがＩＰ電話を行なうために、番号登録要求に応じて、固有ＩＤ８１−Ｊと内線番号８５−ＪとをＩＰ電話用データベース１５に登録することが好ましい。
【００６２】
図９は、本発明の内線番号自動割当システムの動作としてユーザ設定処理を示すフローチャートである。
【００６３】
ユーザは、コンピュータ６−Ｊの入力部を用いて、ユーザ登録要求イベントを発生させる（ステップＳ３１−ＹＥＳ）。このとき、コンピュータ６−Ｊの登録要求部７５は、ユーザのＩＤとパスワードとを含むユーザ登録要求をＳＩＰサーバ１に送信する（ステップＳ３２）。
ＳＩＰサーバ１の管理登録部４１は、ＩＤとパスワードとを含むユーザ登録要求をコンピュータ６−Ｊから受け取り、ユーザ登録要求に含まれるＩＤとパスワードとを固有ＩＤ８１−Ｊに対応付けてＩＰ電話用データベース１５に登録する（ステップＳ３３）。このとき、管理登録部４１は、ＩＤとパスワードにおける登録完了通知をコンピュータ６−Ｊに通知する（ステップＳ３４）。この登録完了通知は、コンピュータ６−Ｊを使用するときに認証が必要であることを表している。
【００６４】
図１０は、本発明の内線番号自動割当システムの動作として使用判定処理を示すフローチャートである。
【００６５】
ユーザは、コンピュータ６−Ｊに電源を入れたときに、コンピュータ６−Ｊの入力部を用いて、使用要求イベントを発生させる（ステップＳ４１−ＹＥＳ）。このとき、コンピュータ６−Ｊの使用要求部７６は、使用認証子を含む使用要求をＳＩＰサーバ１に送信する（ステップＳ４２）。
ＳＩＰサーバ１の認証子照合部５１は、使用認証子を含む使用要求をコンピュータ６−Ｊから受け取り、ＩＰ電話用データベース１５を参照して、使用認証子と、ＩＤとパスワードと固有ＩＤ８１−Ｊとを含む認証子８０−Ｊとを照合する照合処理を行なう（ステップＳ４３〜Ｓ４５）。
【００６６】
照合処理において、まず、ＳＩＰサーバ１の認証子照合部５１は、ＩＰ電話用データベース１５を参照して、認証子８０−Ｊに含まれるＩＤが一致するか否かを調べる（ステップＳ４３）。
使用認証子にＩＤが含まれていない場合、使用認証子にＩＤが含まれていても、認証子８０−Ｊに含まれるＩＤと一致しない場合（ステップＳ４３−ＮＯ）、認証子照合部５１は、使用認証子と認証子８０−Ｊとの不一致を表す照合結果を生成する。この場合、ＳＩＰサーバ１の使用可否通知部５２は、ＩＰ電話用データベース１５を参照して、ユーザに対してコンピュータ６−Ｊの使用を拒否するための使用不許可応答をコンピュータ６−Ｊに通知する（ステップＳ４６）。
【００６７】
使用認証子にＩＤが含まれていて、認証子８０−Ｊに含まれるＩＤと一致する場合（ステップＳ４３−ＹＥＳ）、認証子照合部５１は、ＩＰ電話用データベース１５を参照して、認証子８０−Ｊに含まれるパスワードが一致するか否かを調べる（ステップＳ４４）。
使用認証子にパスワードが含まれていない場合、使用認証子にパスワードが含まれていても、認証子８０−Ｊに含まれるパスワードと一致しない場合（ステップＳ４４−ＮＯ）、認証子照合部５１は、使用認証子と認証子８０−Ｊとの不一致を表す照合結果を生成する。この場合、ＳＩＰサーバ１の使用可否通知部５２は、上記のステップＳ４６を実行する。
【００６８】
使用認証子にパスワードが含まれていて、認証子８０−Ｊに含まれるパスワードと一致する場合（ステップＳ４４−ＹＥＳ）、認証子照合部５１は、ＩＰ電話用データベース１５を参照して、認証子８０−Ｊに含まれる固有ＩＤ８１−Ｊが一致するか否かを調べる（ステップＳ４５）。
使用認証子に固有ＩＤが含まれていない場合、使用認証子に固有ＩＤパスワードが含まれていても、認証子８０−Ｊに含まれる固有ＩＤ８１−Ｊと一致しない場合（ステップＳ４５−ＮＯ）、認証子照合部５１は、使用認証子と認証子８０−Ｊとの不一致を表す照合結果を生成する。この場合、ＳＩＰサーバ１の使用可否通知部５２は、上記のステップＳ４６を実行する。
【００６９】
使用認証子に認証子が含まれていて、認証子８０−Ｊに含まれる認証子８０−Ｊと一致する場合（ステップＳ４４−ＹＥＳ）、使用認証子に含まれるＩＤ、パスワード、固有ＩＤが、それぞれ、認証子８０−Ｊに含まれるＩＤ、パスワード、固有ＩＤ８１−Ｊと一致していることを表している。この場合、認証子照合部５１は、使用認証子と認証子８０−Ｊとの一致を表す照合結果を生成する。このとき、ＳＩＰサーバ１の使用可否通知部５２は、ＩＰ電話用データベース１５を参照して、ユーザに対してコンピュータ６−Ｊの使用を許可するための使用許可応答をコンピュータ６−Ｊに通知する（ステップＳ４７）。
コンピュータ６−Ｊの使用要求部７６は、使用許可応答を受け取り、コンピュータ６−Ｊの使用を許可する。また、コンピュータ６−Ｊの表示制御部７４は、使用許可応答をＳＩＰサーバ１から受け取ったとき、コンピュータ６−Ｊが使用可能である旨を表示部６６に表示する。これにより、ユーザは、コンピュータ６−Ｊを使用することができる。
上記のステップＳ４３〜Ｓ４５が実行される順番は入れ替わってもよい。
【００７０】
現状では、ＩＰ電話の契約を行なうとキャリアがコンピュータ６−Ｊに対し、電話番号と共にＩＤとパスワードとを与える。このＩＤとパスワードは、コンピュータ６−Ｊを用いて通信する際に使用されるが、ＩＤやパスワードが第三者に漏れてしまうと電話番号が勝手に使用されてしまう。そこで、本発明の内線番号自動割当システムによれば、ユーザは、コンピュータ６−Ｊを用いて使用認証子を含む使用要求を行なうことにより、ＳＩＰサーバ１は、その使用要求に応じて、ＩＰ電話用データベース１５を参照して、使用認証子と認証子８０−Ｊ（ＩＤ、パスワード、固有ＩＤ８１−Ｊ）とが一致している場合のみ、コンピュータ６−Ｊの使用を許可する。このように、ＩＤやパスワードの他に固有ＩＤ８１−Ｊを使用要求に付加することにより、第三者がＩＤやパスワードを盗んでいても、電話番号を第三者に使用されることはなく、コンピュータ６−Ｊのセキュリティを強化することができる。
【００７１】
本発明の内線番号自動割当システムでは、上述のように、Ｎ個の固有ＩＤ８１−１〜８１−Ｎは、それぞれ、Ｎ個のＭＡＣアドレスにより表されている。通常、ＭＡＣアドレスはＬＡＮカードに登録されている。コンピュータ６−Ｊの記憶部６２の固有ＩＤ格納領域６４にＭＡＣアドレスとして固有ＩＤ８１−Ｊが登録されている場合、ＬＡＮカードは、固有ＩＤ格納領域６４であり、コンピュータ６−Ｊに設けられていることになる。したがって、本発明の内線番号自動割当システムによれば、コンピュータ６−ＪのＬＡＮカードを変更しない限り、コンピュータ６−Ｊの内線番号として内線番号８５−Ｊを割り当てることができる。
【００７２】
また、本発明の他の内線番号自動割当システムとして、Ｎ個の固有ＩＤ８１−１〜８１−Ｎは、それぞれ、Ｎ個のコンピュータ６−１〜６−Ｎの名称を表すマシン名により表される。この場合、本発明の内線番号自動割当システムによれば、コンピュータ６−Ｊの記憶部６２の固有ＩＤ格納領域６４にマシン名として固有ＩＤ８１−Ｊが登録されている限り、コンピュータ６−Ｊの内線番号として内線番号８５−Ｊを割り当てることができる。また、２つ以上のコンピュータの記憶部６２の固有ＩＤ格納領域６４に同じマシン名を意図的に登録しておけば、それらのコンピュータの内線番号として同じ内線番号８５−Ｊを割り当てることもできる。
【００７３】
また、本発明の更に他の内線番号自動割当システムとして、Ｎ個の固有ＩＤ８１−１〜８１−Ｎは、それぞれ、Ｎ個のＭＡＣアドレスと、Ｎ個のコンピュータ６−１〜６−Ｎの名称を表すマシン名により表される。この場合、本発明の内線番号自動割当システムによれば、コンピュータ６−Ｊの記憶部６２にＭＡＣアドレスとマシン名として固有ＩＤ８１−Ｊが登録されている限り、コンピュータ６−Ｊの内線番号として内線番号８５−Ｊを割り当てることができる。また、ＭＡＣアドレスが異なっていても、２つ以上のコンピュータの記憶部６２に同じマシン名を意図的に登録しておけば、それらのコンピュータの内線番号として同じ内線番号８５−Ｊを割り当てることもできる。
【図面の簡単な説明】
【００７４】
【図１】図１は、本発明の内線番号自動割当システムの構成を示している。
【図２】図２は、本発明の内線番号自動割当システムのＳＩＰサーバ１の構成を示している。
【図３】図３は、本発明の内線番号自動割当システムのＳＩＰサーバ１の割当用データベース１４に登録される内容を示している。
【図４】図４は、本発明の内線番号自動割当システムのＳＩＰサーバ１のＩＰ電話用データベース１５に登録される内容を示している。
【図５】図５は、本発明の内線番号自動割当システムのコンピュータ６−Ｊ（Ｊ＝１、２、…、Ｎ）の構成を示している。
【図６】図６は、本発明の内線番号自動割当システムの動作として内線番号割当処理を示すフローチャートである。
【図７】図７は、本発明の内線番号自動割当システムの動作として内線番号設定処理を示すフローチャートである。
【図８】図８は、本発明の内線番号自動割当システムの動作として内線番号呼出処理を示すフローチャートである。
【図９】図９は、本発明の内線番号自動割当システムの動作としてユーザ設定処理を示すフローチャートである。
【図１０】図１０は、本発明の内線番号自動割当システムの動作として使用判定処理を示すフローチャートである。
【符号の説明】
【００７５】
１    ＳＩＰサーバ
２    外部クライアント
３    ルータ
４    インターネット
５    ネットワーク
６−１〜６−Ｎ    コンピュータ
１０    制御装置
１１    ＣＰＵ
１２    記憶装置
１３    コンピュータプログラム
１４    割当用データベース
１５    ＩＰ電話用データベース
２０    割当実行部
２１    内線番号割当部
２２    割当登録部
３０    内線番号通知部
３１    割当検索部
３２    割当通知部
４０    登録実行部
４１    管理登録部
４２    呼出検索部
４３    通信制御部
５０    使用可否実行部
５１    認証子照合部
５２    使用可否通知部
６０    制御部
６１    ＣＰＵ
６２    記憶部
６３    コンピュータプログラム
６４    固有ＩＤ格納領域
６５    内線番号格納領域
６６    表示部
７１    割当要求部
７２    内線番号要求部
７３    内線番号登録部
７４    表示制御部
７５    登録要求部
７６    使用要求部
７７    ＩＰ電話制御部
８０−１〜８０−Ｎ    認証子
８１−１〜８１−Ｎ    固有ＩＤ
８５−１〜８５−Ｎ    内線番号
【図１】
2006180415.tif 000003
【図２】
2006180415.tif 000004
【図３】
2006180415.tif 000005
【図４】
2006180415.tif 000006
【図５】
2006180415.tif 000007
【図６】
2006180415.tif 000008
【図７】
2006180415.tif 000009
【図８】
2006180415.tif 000010
【図９】
2006180415.tif 000011
【図１０】
2006180415.tif 000012